(57)【要約】      （修正有）【課題】レーザ光の出射方向を高精度に調整することができ、その上、製造工程の作業効率を向上させることができ、製造時間を短縮できる光ピックアップ装置を提供する。【解決手段】フレーム型半導体レーザ装置１０２は、薄金属板１１３と、この薄金属板１１３に搭載され、レーザ光を発する半導体レーザ素子１１５とを有する。ハウジング１１２は、フレーム型半導体レーザ装置１０２を設置する設置面１２０を有する。フレーム型半導体レーザ装置１０２の薄金属板１１３の裏面には凹部１１９が設けられていると共に、ハウジング１１２の設置面１２０には突起１２１が設けられている。これにより、薄金属板１１３が、設置面１２０と平行な面に沿って回転することが可能になり、かつ、設置面に対して揺動することが可能になる。【選択図】図４
2008257778.tif 000002
【特許請求の範囲】
【請求項１】
本体部と、この本体部に搭載され、レーザ光を発する光源とを有するフレーム型半導体レーザ装置と、
上記フレーム型半導体レーザ装置を設置する設置面を有するハウジングと
を備え、
上記フレーム型半導体レーザ装置は、上記本体部に設けられていると共に、上記本体部が上記設置面と平行な面に沿って回転することを可能にし、かつ、上記本体部が上記設置面に対して揺動することを可能にする第１光学調整機構を有し、
上記ハウジングは、上記設置面に設けられていると共に、上記本体部が上記設置面と平行な面に沿って回転することを可能にし、かつ、上記本体部が上記設置面に対して揺動することを可能にする第２光学調整機構を有する
ことを特徴とする光ピックアップ装置。
【請求項２】
請求項１に記載の光ピックアップ装置において、
上記第１光学調整機構は、上記本体部の上記ハウジング側の表面に設けられた凹部または凸部であり、
上記第２光学調整機構は、上記搭載面に設けられ、上記第１光学調整機構の凹部または凸部に嵌合する凸部または凹部であることを特徴とする光ピックアップ装置。
【請求項３】
請求項２に記載の光ピックアップ装置において、
上記凸部の高さよりも上記凹部の深さが深く、
上記フレーム型半導体レーザ装置の光学調整は、上記凸部と上記凹部とが互いに接触する箇所を中心として行われることを特徴とする光ピックアップ装置。
【請求項４】
請求項２に記載の光ピックアップ装置において、
上記凸部の高さよりも上記凹部の深さが浅く、
上記フレーム型半導体レーザ装置の光学調整は、上記凸部と上記凹部とが互いに接触する箇所を中心として行われることを特徴とする光ピックアップ装置。
【請求項５】
請求項２に記載の光ピックアップ装置において、
上記凸部または上記凹部は円錐面を有することを特徴とする光ピックアップ装置。
【請求項６】
請求項２に記載の光ピックアップ装置において、
上記凸部および上記凹部は、それぞれ、円錐面を有し、
上記凸部の頂角は上記凹部の頂角よりも小さいことを特徴とする光ピックアップ装置。
【請求項７】
請求項１に記載の光ピックアップ装置において、
上記フレーム型半導体レーザ装置が上記ハウジングに接着剤で固定されていることを特徴とする光ピックアップ装置。
【請求項８】
請求項１に記載の光ピックアップ装置を組み立てる組立装置であって、
上記ハウジングへの上記フレーム型半導体レーザ装置の固定を行うと共に、上記フレーム型半導体レーザ装置の光学調整を行う光学調整装置を備えたことを特徴とする組立装置。
【発明の詳細な説明】
【技術分野】
【０００１】
本発明は、光ピックアップ装置およびこれを組み立てる組立装置に関する。
【背景技術】
【０００２】
従来、光ピックアップ装置としては、特開平７−２４００３５号公報や特開平７−３３４８５０号公報に開示されているものがある。この光ピックアップ装置では、半導体レーザ素子と受光素子をワンパッケージ化したり、半導体レーザ素子とホログラム素子とをワンパッケージ化したりしている。
【０００３】
また、特開２００６−１３０３７号公報や特開２００６−８０１９３号公報では、フレーム型半導体レーザ装置を備えた光ピックアップ装置が開示されている。この光ピックアップ装置では、光ピックアップ製造工程において調整作業を改善するための機構が設けられている。
【０００４】
より詳しくは、特開２００６−１３０３７号公報では、図７に示すように、フレーム型半導体レーザ装置７０１は、薄金属板７０２と、この薄金属板７０２に搭載された半導体レーザ素子７０３とを有している。
【０００５】
上記薄金属板７０２の縁部にはアール部７０４が設けられている。このアール部７０４をハウジング７０５の当たり面７０６に当接させることにより、薄金属板７０２を支持しつつ搭載されるハウジング面と平行な面内において回転させて、半導体レーザ素子７０３のレーザ光の出射方向を調整することができる。
【０００６】
一方、特開２００６−８０１９３号公報では、図８に示すように、ハウジング８０１は、フレーム型半導体レーザ装置８０２が取り付けられる取付面８０３を有している。この取付面８０３には略円柱形状の突起部８０４が設けられている。
【０００７】
上記フレーム型半導体レーザ素子８０２は、薄金属板８０５と、この薄金属板８０５に搭載された半導体レーザ素子８０６とを有している。
【０００８】
上記薄金属板８０５の裏面（ハウジング８０１側の表面）には略円柱形状の凹部が設けられている。この凹部に突起部８０４を嵌合させることにより、突起部８０４を中心に薄金属板８０５を回転させて、半導体レーザ素子８０６のレーザ光の出射方向を搭載されるハウジング面と平行な面内において調整することができる。
【０００９】
近年、記録媒体に対する高速記録の要求や、青色レーザ光を用いての高密度次世代情報記録再生のため、レーザ光のより高精度な調整が求められるようになった。また、ノートブック型、モバイル型コンピュータの要求も依然高く、光ディスクドライブ装置及び光ピックアップ装置の薄型化は必須の課題である。このため、特開２００６−１３０３７号公報や特開２００６−８０１９３号公報の光ピックアップ装置にまして、レーザ光の出射方向を高精度に調整する必要が生じている。
【００１０】
また、光ピックアップ装置の製造工程においては、調整にかかる作業効率の向上および製造時間の短縮が求められている。
【特許文献１】特開平７−２４００３５号公報
【特許文献２】特開平７−３３４８５０号公報
【特許文献３】特開２００６−１３０３７号公報（特に図１）
【特許文献４】特開２００６−８０１９３号公報（特に図１７Ａ）
【発明の開示】
【発明が解決しようとする課題】
【００１１】
そこで、本発明の課題は、レーザ光の出射方向を高精度に調整することができ、その上、製造工程の作業効率を向上させることができると共に、製造時間を短縮できる光ピックアップ装置と、その光ピックアップ装置を組み立てる組立装置とを提供することにある。
【課題を解決するための手段】
【００１２】
上記課題を解決するため、本発明の光ピックアップ装置は、
本体部と、この本体部に搭載され、レーザ光を発する光源とを有するフレーム型半導体レーザ装置と、
上記フレーム型半導体レーザ装置を設置する設置面を有するハウジングと
を備え、
上記フレーム型半導体レーザ装置は、上記本体部に設けられていると共に、上記本体部が上記設置面と平行な面に沿って回転することを可能にし、かつ、上記本体部が上記設置面に対して揺動することを可能にする第１光学調整機構を有し、
上記ハウジングは、上記設置面に設けられていると共に、上記本体部が上記設置面と平行な面に沿って回転することを可能にし、かつ、上記本体部が上記設置面に対して揺動することを可能にする第２光学調整機構を有する
ことを特徴としている。
【００１３】
上記構成の光ピックアップ装置によれば、上記第１光学調整機構と第２光学調整機構とによって、本体部は、ハウジングの設置面と平行な面に沿って回転することが可能であり、かつ、ハウジングの設置面に対して揺動することが可能である。
【００１４】
したがって、上記本体部を回転および揺動させることにより、光源が発するレーザ光の出射方向を高精度に調整することができる。
【００１５】
また、上記レーザ光の出射方向の調整は、本体部を回転および揺動させるだけなので、容易に行える。
【００１６】
したがって、上記光ピックアップ装置の製造工程の作業効率を向上させることができ、製造時間を短縮できる。
【００１７】
一実施形態の光ピックアップ装置では、
上記第１光学調整機構は、上記本体部の上記ハウジング側の表面に設けられた凹部または凸部であり、
上記第２光学調整機構は、上記搭載面に設けられ、上記第１光学調整機構の凹部または凸部に嵌合する凸部または凹部である。
【００１８】
上記実施形態の光ピックアップ装置によれば、上記第１光学調整機構は凹部または凸部であり、第２光学調整機構も凸部または凹部であるので、第１光学調整機構および第２光学調整機構の形成は容易である。
【００１９】
一実施形態の光ピックアップ装置では、
上記凸部の高さよりも上記凹部の深さが深く、
上記フレーム型半導体レーザ装置の光学調整は、上記凸部と上記凹部とが互いに接触する箇所を中心として行われる。
【００２０】
上記実施形態の光ピックアップ装置によれば、上記凸部の高さよりも凹部の深さが深い場合、凸部と上記凹部とが互いに接触する箇所を中心として、フレーム型半導体レーザ素子を確実に揺動させることができる。
【００２１】
一実施形態の光ピックアップ装置では、
上記凸部の高さよりも上記凹部の深さが浅く、
上記フレーム型半導体レーザ装置の光学調整は、上記凸部と上記凹部とが互いに接触する箇所を中心として行われる。
【００２２】
上記実施形態の光ピックアップ装置によれば、上記凸部の高さよりも上記凹部の深さが浅い場合、凸部と上記凹部とが互いに接触する箇所を中心として、フレーム型半導体レーザ素子を確実に揺動させることができる。
【００２３】
一実施形態の光ピックアップ装置では、
上記凸部または上記凹部は円錐面を有する。
【００２４】
上記実施形態の光ピックアップ装置によれば、上記凸部または凹部は円錐面を有するので、フレーム型半導体レーザ素子が揺動可能な範囲を確実に広くすることができる。
【００２５】
一実施形態の光ピックアップ装置では、
上記凸部および上記凹部は、それぞれ、円錐面を有し、
上記凸部の頂角は上記凹部の頂角よりも小さい。
【００２６】
上記実施形態の光ピックアップ装置によれば、上記凸部の頂角は凹部の頂角よりも小さいので、フレーム型半導体レーザ素子が揺動可能な範囲を確実に広くすることができる。
【００２７】
一実施形態の光ピックアップ装置では、
上記フレーム型半導体レーザ装置が上記ハウジングに接着剤で固定されている。
【００２８】
上記実施形態の光ピックアップ装置によれば、上記フレーム型半導体レーザ装置がハウジングに接着剤で固定されているので、高精度の調整されたレーザ光の出射方向を維持できる。
【００２９】
本発明の組立装置は、
本発明の光ピックアップ装置を組み立てる組立装置であって、
上記ハウジングへの上記フレーム型半導体レーザ装置の固定を行うと共に、上記フレーム型半導体レーザ装置の光学調整を行う光学調整装置を備えたことを特徴としている。
【００３０】
上記構成の組立装置によれば、上記光学調整装置によって、フレーム型半導体レーザ装置の光学調整を光学調整装置で高精度かつ容易に行うことができる。
【発明の効果】
【００３１】
本発明の光ピックアップ装置によれば、第１光学調整機構と第２光学調整機構とによって、本体部を、ハウジングの設置面と平行な面に沿って回転させ、かつ、ハウジングの設置面に対して揺動させることにより、光源が発するレーザ光の出射方向を高精度に調整することができる。
【００３２】
また、上記レーザ光の出射方向の高精度の調整は容易に行えるので、光ピックアップ装置の製造工程の作業効率を向上させることができ、製造時間を短縮できる。
【００３３】
本発明の組立装置は、光学調整装置が、上記光ピックアップ装置のフレームへのフレーム型半導体レーザ装置の固定を行うと共に、そのフレーム型半導体レーザ装置の光学調整を行うので、フレーム型半導体レーザ装置の光学調整は光学調整装置で高精度かつ容易に行うことができる。
【発明を実施するための最良の形態】
【００３４】
以下、本発明の光ピックアップ装置を図示の実施の形態により詳細に説明する。
【００３５】
（第１実施形態）
図１に、本発明の第１実施形態の光ピックアップ装置の概略構成図を示す。
【００３６】
上記光ピックアップ装置は、光ディスク１０１へレーザ光を照射すると共に、光ディスク１０１で反射されたレーザ光を検出するため、フレーム型半導体レーザ装置１０２、波長板１０３、グレーティング１０４、ハーフミラー１０５、センサーレンズ１０６、受光ＩＣ（集積回路）１０７、フロントモニタ１０８、コリメータレンズ１０９、立上げミラー１１０および対物レンズ１１１を備えている。
【００３７】
上記半導体レーザ装置２が出射したレーザ光は、波長板１０３、グレーティング１０４、ハーフミラー１０５、コリメータレンズ１０９、立上げミラー１１０および対物レンズ１１１を経由して光ディスク１０１の表面に照射される。そして、上記光ディスク１０１により反射されたレーザ光は、対物レンズ１１１、立上げミラー１１０、コリメータレンズ１０９、ハーフミラー１０５およびセンサーレンズ１０６を経由して、受光ＩＣ１０７の受光部に照射される。
【００３８】
上記フロントモニタ１０８は、半導体レーザ装置２が出射したレーザ光の一部がハーフミラー１０５を透過して入る。これにより、上記フロントモニタ１０８の出力に基づいて、フレーム型半導体レーザ装置１０２のオートパワーコントロールを行える。
【００３９】
図２に、上記光ピックアップ装置のハウジング１１２の概略平面図を示す。
【００４０】
上記光ピックアップ装置はハウジング１１２を備え、フレーム型半導体レーザ装置１０２、波長板１０３、グレーティング１０４、ハーフミラー１０５、センサーレンズ１０６、受光ＩＣ１０７、フロントモニタ１０８、コリメータレンズ１０９、立上げミラー１１０および対物レンズ１１１がハウジング１１２に取り付けられる。
【００４１】
図３に、上記フレーム型半導体レーザ装置１０２の概略斜視図を示す。
【００４２】
上記フレーム型半導体レーザ装置１０２は、薄金属板１１３と、この薄金属板１１３の表面にサブマウント１１４を介して固定された半導体レーザ素子１１５とを備えている。
【００４３】
上記薄金属板１１３の表面には、電極用リード１１６に一体に設けられた樹脂枠１１７が設けられている。また、上記樹脂枠１１７の内周面は、半導体レーザ素子１１５の両側面，後面（光出射端面１１８とは反対側の面）に対向している。なお、上記半導体レーザ素子１１５は光源の一例であり、薄金属板１１３と樹脂枠１１７とが本体部の一例を構成している。
【００４４】
図４に、上記光ピックアップ装置のフレーム型半導体レーザ装置１０２，ハウジング１１２の模式図を示す。
【００４５】
上記薄金属板１１３の裏面（ハウジング１１２側の表面）には、略円柱形状の凹部１１９が形成されている。なお、上記凹部１１９は第１光学調整機構の一例である。
【００４６】
上記ハウジング１１２は、フレーム型半導体レーザ装置１０２を設置する設置面１２０を有する。この設置面１２０には、凹部１１９に嵌合する略円錐形状の凸部１２１が形成されている。なお、上記凸部１２１は第２光学調整機構の一例である。
【００４７】
上記凸部１２１は円錐面を有している。つまり、上記凸部１２１を側方から見ると、凸部１２１は三角形状を呈している。また、上記凸部１２１の高さに比べて、凹部１１９の深さは深くなっている。
【００４８】
上記構成の光ピックアップ装置によれば、フレーム型半導体レーザ装置１０２をハウジング１１２に搭載する場合、フレーム型半導体レーザ装置１０２をフォーク状の調整用治具１２２で挟んで保持し、フレーム型半導体レーザ装置１０２を点線矢印の方向に動かし、ハウジング１１２の凸部１２１をフレーム型半導体レーザ装置１０２の凹部１１９に嵌合させる。これにより、上記凸部１２１と凹部１１９とが互いに接触する箇所を中心として、フレーム型半導体レーザ装置１０２を、設置面１２０と平行な面に沿って回転させることができ、かつ、設置面１２０に対して揺動させることができる。
【００４９】
したがって、上記半導体レーザ素子１１５が発するレーザ光の出射方向を高精度に調整することができる。
【００５０】
また、上記レーザ光の出射方向の調整は、フレーム型半導体レーザ装置１０２を回転および揺動させるだけなので、容易である。
【００５１】
したがって、上記光ピックアップ装置の製造工程の作業効率を向上させることができ、製造時間を短縮できる。
【００５２】
また、上記レーザ光の出射方向の調整後には、例えば樹脂接着剤を用いて、フレーム型半導体レーザ装置１０２をハウジング１１２に固定する。
【００５３】
上記樹脂接着剤としては、半導体レーザ素子１１５からの発熱をハウジングに逃がすため、シリコン系樹脂などを代表とする熱伝導性の高い樹脂接着剤が望ましい。
【００５４】
なお、上記ハウジング１１２には、フレーム型半導体レーザ装置１０２の他、図１の波長板１０３、グレーティング１０４、ハーフミラー１０５、センサーレンズ１０６、受光ＩＣ１０７、フロントモニタ１０８、コリメータレンズ１０９、立上げミラー１１０および対物レンズ１１１も取り付けることができる。
【００５５】
上記第１実施形態では、凸部１２１の高さに比べて、凹部１１９の深さは深くなっていたが、凸部１２１の高さに比べて、凹部１１９の深さを浅くしてもよい。
【００５６】
上記第１実施形態では、薄金属板１１３の裏面に略円柱形状の凹部１１９を形成していたが、樹脂枠１１７の裏面に略円柱形状の凹部１１９を形成してもよい。
【００５７】
また、上記薄金属板１１３または樹脂枠１１７の裏面に略円錐形状（略すり鉢形状）の凹部を形成してもよい。
【００５８】
（第２実施形態）
図５に、本発明の第２実施形態の光ピックアップ装置のフレーム型半導体レーザ装置２０２，ハウジング２１２の模式図を示す。
【００５９】
上記光ピックアップ装置は、光ピックアップ装置のフレーム型半導体レーザ装置２０２，ハウジング２１２を備えている点のみが上記第１実施形態と異なる。
【００６０】
上記フレーム型半導体レーザ装置２０２は、本体部２１３と、この本体部２１３に搭載され、レーザ光を発する半導体レーザ素子２１５とを有している。
【００６１】
上記本体部２１３は電極用リード２１６と一体となっている。また、上記本体部２１３の裏面（ハウジング２１２側の表面）には、略円錐形状の凸部２１９が形成されている。なお、上記凸部２１９は第１光学調整機構の一例である。
【００６２】
上記ハウジング２１２は、フレーム型半導体レーザ装置２０２を設置する設置面２２０を有する。この設置面２２０には、凸部２１９が嵌合する略円柱形状の凹部２２１が形成されている。なお、上記凹部２２１は第２光学調整機構の一例である。
【００６３】
上記凸部２１９は円錐面を有している。つまり、上記凸部２１９を側方から見ると、凸部２１９は三角形状を呈している。また、上記凸部２１９の高さに比べて、上記凹部２２１の深さは深くなっている。
【００６４】
上記構成の光ピックアップ装置によれば、フレーム型半導体レーザ装置２０２をハウジング２１２に搭載する場合、フレーム型半導体レーザ装置２０２をフォーク状の調整用治具２２２で挟んで保持し、フレーム型半導体レーザ装置２０２を点線矢印の方向に動かし、ハウジング２１２の凹部２２１をフレーム型半導体レーザ装置２０２の凸部２１９に嵌合させる。これにより、上記凹部２２１と凸部２１９とが互いに接触する箇所を中心として、フレーム型半導体レーザ装置２０２を、設置面２２０と平行な面に沿って回転させることができ、かつ、設置面２２０に対して揺動させることができる。
【００６５】
したがって、上記半導体レーザ素子２１５が発するレーザ光の出射方向を高精度に調整することができる。
【００６６】
また、上記レーザ光の出射方向の調整は、フレーム型半導体レーザ装置２０２を回転および揺動させるだけなので、容易である。
【００６７】
したがって、上記光ピックアップ装置の製造工程の作業効率を向上させることができ、製造時間を短縮できる。
【００６８】
また、上記レーザ光の出射方向の調整後には、例えば樹脂接着剤を用いて、フレーム型半導体レーザ装置２０２をハウジング２１２に固定する。
【００６９】
上記樹脂接着剤としては、半導体レーザ素子２１５からの発熱をハウジングに逃がすため、シリコン系樹脂などを代表とする熱伝導性の高い樹脂接着剤が望ましい。
【００７０】
なお、上記ハウジング２１２には、フレーム型半導体レーザ装置２０２の他、図１の波長板１０３、グレーティング１０４、ハーフミラー１０５、センサーレンズ１０６、受光ＩＣ１０７、フロントモニタ１０８、コリメータレンズ１０９、立上げミラー１１０および対物レンズ１１１も取り付けることができる。
【００７１】
上記第２実施形態では、凸部２１９の高さに比べて、凹部２２１の深さは深くしていたが、凸部２１９の高さに比べて、凹部２２１の深さは浅くしてもよい。
【００７２】
上記第２実施形態では、ハウジング２１２の設置面２２０に、凸部２１９が嵌合する略円柱形状の凹部２２１を形成していたが、ハウジング２１２の設置面２２０に、凸部２１９が嵌合する略円錐形状（略すり鉢形状）の凹部を形成してもよい。
【００７３】
また、上記本体部２１３の裏面に略円柱形状の凸部を形成すると共に、ハウジング２１２の設置面２２０に、その凸部が嵌合する略円錐形状（略すり鉢形状）の凹部を形成してもよい。
【００７４】
また、上記本体部２１３は、薄金属板であってもよいし、樹脂枠であってもよい。
【００７５】
（第３実施形態）
図６に、本発明の第３実施形態の光ピックアップ装置のフレーム型半導体レーザ装置３０２，ハウジング３１２の模式図を示す。
【００７６】
上記光ピックアップ装置は、光ピックアップ装置のフレーム型半導体レーザ装置３０２，ハウジング３１２を備えている点のみが上記第１実施形態と異なる。
【００７７】
上記フレーム型半導体レーザ装置３０２は、本体部３１３と、この本体部３１３に搭載され、レーザ光を発する半導体レーザ素子２１５とを有している。
【００７８】
上記本体部３１３は電極用リード３１６と一体となっている。また、上記本体部３１３の裏面（ハウジング３１２側の表面）には、略円錐形状（略すり鉢形状）の凹部３１９が形成されている。なお、上記凹部３１９は第１光学調整機構の一例である。
【００７９】
上記ハウジング３１２は、フレーム型半導体レーザ装置３０２を設置する設置面３２０を有する。この設置面３２０には、凹部３１９に遊嵌する略円錐形状の凸部３２１が形成されている。なお、上記凸部３２１は第２光学調整機構の一例である。
【００８０】
上記凹部３１９および凸部３２１は円錐面を有している。また、上記凹部３１９および凸部３２１の頂部は鋭角に形成されている。つまり、上記凹部３１９および凸部３２１を側方から見ると、凹部３１９および凸部３２１は三角形状を呈している。また、上記凸部３２１の高さに比べて、凹部３１９の深さは深くなっている。そして、図１０に示すように、凸部の頂角αは凹部３１９の頂角βよりも小さくなっている。
【００８１】
上記構成の光ピックアップ装置によれば、フレーム型半導体レーザ装置３０２をハウジング３１２に搭載する場合、フレーム型半導体レーザ装置３０２をフォーク状の調整用治具３２２で挟んで保持し、フレーム型半導体レーザ装置３０２を点線矢印の方向に動かし、図１１に示すように、ハウジング３１２の凸部３２１をフレーム型半導体レーザ装置３０２の凹部３１９に遊嵌させる。これにより、上記凸部３２１と凹部３１９とが互いに接触する箇所を中心として、フレーム型半導体レーザ装置３０２を、設置面３２０と平行な面に沿って回転させることができ、かつ、設置面３２０に対して揺動させることができる。
【００８２】
したがって、上記半導体レーザ素子３１５が発するレーザ光の出射方向を高精度に調整することができる。
【００８３】
また、上記レーザ光の出射方向の調整は、フレーム型半導体レーザ装置３０２を回転および揺動させるだけなので、容易である。
【００８４】
したがって、上記光ピックアップ装置の製造工程の作業効率を向上させることができ、製造時間を短縮できる。
【００８５】
また、上記凸部３２１が図１１に示すように遊嵌するので、レーザ光の出射方向の調整の支点が安定し、その調整を安定して行うことができる。
【００８６】
また、上記レーザ光の出射方向の調整後には、例えば樹脂接着剤を用いて、フレーム型半導体レーザ装置３０２をハウジング３１２に固定する。
【００８７】
上記樹脂接着剤としては、半導体レーザ素子３１５からの発熱をハウジングに逃がすため、シリコン系樹脂などを代表とする熱伝導性の高い樹脂接着剤が望ましい。
【００８８】
なお、上記ハウジング３１２には、フレーム型半導体レーザ装置３０２の他、図１の波長板１０３、グレーティング１０４、ハーフミラー１０５、センサーレンズ１０６、受光ＩＣ１０７、フロントモニタ１０８、コリメータレンズ１０９、立上げミラー１１０および対物レンズ１１１も取り付けることができる。
【００８９】
また、上記本体部３１３は、薄金属板であってもよいし、樹脂枠であってもよい。
【００９０】
図９に、本発明の一実施の形態の組立装置のブロック図を示す。
【００９１】
上記組立装置は、制御装置９０１と、この制御装置９０１に制御される光学調整装置９０２とを備え、上記第１〜第３実施形態の光ピックアップ装置を組み立てる。
【００９２】
上記光学調整装置９０２は、調整用治具１２２，２２２，３２２と同様の調整用治具を有して、ハウジング１１２，２１２，３１２へのフレーム型半導体レーザ装置１０２，２０２，３０２の固定を行うと共に、フレーム型半導体レーザ装置の光学調整を行う。
【００９３】
また、上記光学調整装置９０２は、フレーム型半導体レーザ装置１０２，２０２，３０２の固定に、シリコン系樹脂などを代表とする熱伝導性の高い樹脂接着剤を用いる。
【００９４】
上述した各実施形態は本発明の一実施形態であって、本発明が上述した各実施形態に限定される訳ではなく、本発明の光ピックアップ装置は用途に応じて多様な形態を取り得る。
【００９５】
本発明の光ピックアップ装置は、光ディスクまたは光学的な記録媒体を用いて光学的にデータ（信号）の記録・再生を行う全ての光ピックアップ装置に適用することができる。
【００９６】
例えば、本発明の光ピックアップ装置は、パソコンやＡＶ（Audio and Visual）機器内での光ディスク（ＣＤ（コンパクトディスク）・ＤＶＤ（デジタル万能ディスク）等）の信号再生、記録を行う光ピックアップ装置に適用できる。
【図面の簡単な説明】
【００９７】
【図１】図１は本発明の第１実施形態の光ピックアップ装置の概略構成図である。
【図２】図２は上記第１実施形態の光ピックアップ装置のハウジングの概略平面図である。
【図３】図３は上記第１実施形態の光ピックアップ装置のフレーム型半導体レーザ装置の概略斜視図である。
【図４】図４は上記第１実施形態の光ピックアップ装置のフレーム型半導体レーザ装置，ハウジングの模式図である。
【図５】図５は本発明の第２実施形態の光ピックアップ装置のフレーム型半導体レーザ装置，ハウジングの模式図である。
【図６】図６は本発明の第３実施形態の光ピックアップ装置のフレーム型半導体レーザ装置，ハウジングの模式図である。
【図７】図７は従来の光ピックアップ装置のフレーム型半導体レーザ装置，ハウジングの概略平面図である。
【図８】図８は他の従来の光ピックアップ装置のフレーム型半導体レーザ装置，ハウジングの概略斜視図である。
【図９】図９は本発明の一実施の形態の組立装置のブロック図である。
【図１０】図１０は上記第３実施形態の光ピックアップ装置の要部の模式図である。
【図１１】図１１は上記第３実施形態の光ピックアップ装置の要部の模式図である。
【符号の説明】
【００９８】
１０２，２０２，３０２  フレーム型半導体レーザ装置
１１２，２１２，３１２  ハウジング
１１３  薄金属板
１１５，２１５，３１５  半導体レーザ素子
１１７  樹脂枠
１２０，２２０，３２０  設置面
２１３，３１３  本体部
１１９，２２１，３１９  凹部
１２１，２１９，３２１  凸部
９０２  光学調整装置
【図１】
2008257778.tif 000003
【図２】
2008257778.tif 000004
【図３】
2008257778.tif 000005
【図４】
2008257778.tif 000006
【図５】
2008257778.tif 000007
【図６】
2008257778.tif 000008
【図７】
2008257778.tif 000009
【図８】
2008257778.tif 000010
【図９】
2008257778.tif 000011
【図１０】
2008257778.tif 000012
【図１１】
2008257778.tif 000013